(57)【要約】【課題】インキが多色に及んだり、インキの溶剤や樹脂等の基本組成が異なり、色毎やインキ組成毎にインキ物性値が異なる場合でも、インキ保留体、誘導芯などを同一の部材で構成することができる筆記具を提供する。【構成】インキ保留体の尾端部端面にインキ吸蔵体を固定するための３本以上のリブを長手方向に設け、インキ保留体尾端部端面から長手方向へのリブの長さが５．０ｍｍ以上、リブの囲む内接円の直径が４．０ｍｍ〜２０．０ｍｍとなるように設計する。【選択図】            図１
2005001247.tif 000002
【特許請求の範囲】
【請求項１】
インキが有機溶媒やアルコールを主溶媒とした所謂油性インキであり、インキタンクに自由状態で収容したインキをペン先に供給するための流通制御部材として、外周面の軸線方向に対し垂直に設けられた多数の櫛歯状のフィンにより構成されインキタンクと外気を結ぶ狭幅深底状の空気流通溝を有したインキタンク内の気圧変化によるインキの外部流出を一時的に保留するインキ保留体を有し、前記インキ保留体の貫通孔内にはインキタンク部から供給されたインキをペン先に誘導する誘導芯を備え、前記誘導芯の後端部と接合し上向き筆記などを可能にするためのインキ吸蔵体を備えた直液式筆記具において、前記インキ保留体の尾端部端面に前記インキ吸蔵体を固定するための３本以上のリブを長手方向に設け、前記インキ保留体尾端部端面から長手方向へのリブの長さが５．０ｍｍ以上、リブの囲む内接円の直径が４．０ｍｍ〜２０．０ｍｍであることを特徴とした直液式筆記具。
【発明の詳細な説明】
【０００１】
【発明の属する技術分野】
本発明はインキが有機溶媒やアルコールを主溶媒とした所謂油性インキであり、インキタンクに自由状態で収容したインキをペン先に供給するための流通制御部材として、外周面の軸線方向に対し垂直に設けられた多数の櫛歯状のフィンにより構成されインキタンクと外気を結ぶ狭幅深底状の空気流通溝を有したインキタンク内の気圧変化によるインキの外部流出を一時的に保留するインキ保留体を有し、インキ保留体の貫通孔内にはインキタンク部から供給されたインキをペン先に誘導する誘導芯を備え、誘導芯の後端部と接合し上向き筆記などを可能にするためのインキ吸蔵体を備えた直液式筆記具に関する。
【０００２】
【従来の技術】
インキタンクに自由状態で収容したインキをペン先に供給するための流通制御部材として、外周面の軸線方向に対し垂直に設けられた多数の櫛歯状のフィンにより構成されインキタンクと外気を結ぶ狭幅深底状の空気流通溝を有したインキタンク内の気圧変化によるインキの外部流出を一時的に保留するインキ保留体を有し、前記インキ保留体の貫通孔内にはインキタンク部から供給されたインキをペン先に誘導する誘導芯を備え、誘導芯の後端部と接合し上向き筆記などを可能にするためのインキ吸蔵体を備えた筆記具は、所謂蛇腹直液式の筆記具と呼ばれ、大容量のインキを収容することができると共に、ペン先への豊富かつ安定したインキ供給をなすことができる特徴を持っていることが知られている。
【０００３】
蛇腹直液式の筆記具の場合、インキ供給量の制御は流通制御部材であるインキ保留体の空気流通溝の寸法、インキ保留体貫通孔内の誘導芯の寸法、誘導芯の気孔率などで調整することが従来行なわれてきた。
【０００４】
すなわち、特開平７−１９５８８８で記述されているように流通制御部材であるインキ保留体の空気流通溝の寸法は液体―空気交換がなされる量を決定するものであり、インキ供給量に影響を与える重要な寸法である。逆説すれば空気流通溝を調整することでインキ供給量を調整することも可能となる。
【０００５】
また、誘導芯の外径を調整することでインキ供給量を調整することもできる。すなわち、誘導芯外径が太くなればインキ供給量は増え、誘導芯外径が細くなればインキ供給量は減るという現象によるものである。
【０００６】
更に、誘導芯の気孔率を調整することでインキ供給量を調整することもできる。誘導芯が繊維収束体からなる芯の場合や、特開平９−２０２０８８のように誘導芯が押出し成形で成形されポリアセタール樹脂などからなるインキ流通のための溝孔を有した芯の場合があげられる。前者の芯の場合は、繊維と繊維を固める樹脂の配合割合比で生じる気孔の大きさでインキ供給量を調整し、後者の芯の場合、溝孔の体積の大きさによってインキ供給量を調整することができる。
【０００７】
一方、誘導芯の後端部と接合するインキ吸蔵体の固定方法に関しては、特開２００１−１７１２８５、特開２００２−２２５４８９のように上向き筆記を目的とした発明が見られる。
【０００８】
【特許文献１】
特開平７−１９５８８８公報
【特許文献２】
特開平９−２０２０８８公報
【特許文献３】
特開平２００１−１７１２８５公報
【特許文献４】
特開平２００２−２２５４８９公報
【０００９】
【発明が解決しようとする課題】
しかしながら、上記従来技術の方法でインキ供給量を制御するには品質の安定性を考えると限界がある。また、インキが多色に及んだり、インキの溶剤や樹脂等の基本組成が異なり、色毎やインキ組成毎にインキ物性値が異なる場合、物性値の異なるインキ毎にインキ供給量の調整を上記従来技術のようにインキ保留体や誘導芯で行うことは現実的ではない。
【００１０】
すなわち、インキ保留体の空気流通溝でインキ供給量を調整する場合、空気流通溝の寸法は耐振動性や耐温度変化、耐気圧変化などの耐インキ漏れの性能に影響を及ぼすため、通常インキ保留体が機能しうる範囲でしか調整ができない。また、インキ保留体は金型を必要とする樹脂成型品であるため、色毎やインキ組成毎にインキ物性値が異なるからといって、物性値の異なるインキ毎に空気流通溝の寸法設定が異なるインキ保留体を使い分けることは現実的ではない。
【００１１】
また、誘導芯の外径を調整することでインキ供給量を調整することは、耐振動性や耐温度変化、耐気圧変化などの耐インキ漏れの性能に影響を及ぼすため、機能しうる範囲でしか調整ができない。また誘導芯外径の調整はインキ保留体の外径、空気流通溝の深さなどによって成形可能なインキ保留体貫通孔の寸法が決まってしまうため限度がある。更に色毎やインキ組成毎にインキ物性値が異なるからといって、物性値の異なるインキ毎に貫通孔の寸法設定の異なるインキ保留体を使い分けること、即ち外径の異なる誘導芯を使い分けることは現実的ではない。
【００１２】
一方、誘導芯の気孔率を調整することでインキ供給量を調整することは、最も簡単且つ現実的な手段であるが、誘導芯が繊維収束体からなる芯の場合、芯自体の径が細いため気孔率を調整しても低気孔率のものと高気孔率のものの差は２０％程度の調整しかできず、インキが有機溶媒やアルコールを主溶媒とした所謂油性インキの場合は表面張力が低く浸透性が高いため、繊維集束体からなる誘導芯でのインキ供給量調整には限界がある。また芯径が細く全長の長い繊維集束体からなる誘導芯では、極端に気孔率を下げると芯内でのインキ詰まりが発生してしまう恐れもある。一方、特開平９−２０２０８８のように誘導芯が押出し成形で成形されポリアセタール樹脂などからなるインキ流通のための溝孔を有した芯の場合、溝孔の大きさを調整しやすいために、適宜誘導芯を選択すればインキ供給量調整はしやすいが、インキが有機溶媒やアルコールを主溶媒とした所謂油性インキの場合は表面張力が低く、経時や衝撃などによってインキが誘導芯内部で毛管力によって保持しきれずに、インキタンク内にインキが戻ってしまう所謂インキドロップが発生してしまう。
【００１３】
また、誘導芯の後端部と接合するインキ吸蔵体の固定方法に関しては、これまで詳細な言及がなされていない。例えば特開２００１−１７１２８５ではインキ吸蔵体の固定方法については明記しておらず、耐振動性や耐衝撃性についての対策がなされていない。つまり、インキ吸蔵体を誘導芯に圧入によって接合しただけではペン先を上向きにした場合やペン体に振動や衝撃が生じた場合には接合が外れてしまい、上向き筆記などの繊維集束体の本来の目的を果たすことができない。また、特開２００２−２２５４８９のようにインキタンクの軸内径部にリブを設けてインキ吸蔵体を固定させる場合には、成形上の問題からインキタンク内径に対するリブの高さに限度があるため、インキ吸蔵体の外径がインキタンク内径に左右されてしまい、自由にインキ吸蔵体を選択することができない。通常は上向き筆記を可能にさせる目的でインキ吸蔵体を用いるため、インキ保留能力を向上させるためにインキ吸蔵体の外径をインキタンクの内径に対してできる限り大きくできるようインキタンクの軸内径部にリブを設けてインキ吸蔵体を固定させる方法自体に問題はないが、インキ吸蔵体は誘導芯と接合しているため、インキ吸蔵体が必要以上に大きいとペン先へのインキ自重が大きくなり、先漏れを発生するという問題があった。
【００１４】
本発明はインキが有機溶媒やアルコールを主溶媒とした所謂油性インキであり、インキタンクに自由状態で収容したインキをペン先に供給するための流通制御部材として、外周面の軸線方向に対し垂直に設けられた多数の櫛歯状のフィンにより構成されインキタンクと外気を結ぶ狭幅深底状の空気流通溝を有したインキタンク内の気圧変化によるインキの外部流出を一時的に保留するインキ保留体を有し、インキ保留体の貫通孔内にはインキタンク部から供給されたインキをペン先に誘導する誘導芯を備え、誘導芯の後端部と接合し上向き筆記などを可能にするためのインキ吸蔵体を備えた直液式筆記具において、インキが多色に及んだり、インキの溶剤や樹脂等の基本組成が異なり、色毎やインキ組成毎にインキ物性値が異なる場合でも、インキ保留体、誘導芯をできる限り同一の部材で構成して低コスト化や仕様間違い防止をし、特にコストのかかる金型を必要とする樹脂成型品のインキ保留体はできるだけ仕様を一本化することができ、保存安定性やインキドロップを考慮したインキ供給量制御にとらわれない無理のない誘導芯の選択が可能となる直液式筆記具に関する。
【００１５】
【課題を解決するための手段】
本発明は、インキが有機溶媒やアルコールを主溶媒とした所謂油性インキであり、インキタンクに自由状態で収容したインキをペン先に供給するための流通制御部材として、外周面の軸線方向に対し垂直に設けられた多数の櫛歯状のフィンにより構成されインキタンクと外気を結ぶ狭幅深底状の空気流通溝を有したインキタンク内の気圧変化によるインキの外部流出を一時的に保留するインキ保留体を有し、前記インキ保留体の貫通孔内にはインキタンク部から供給されたインキをペン先に誘導する誘導芯を備え、前記誘導芯の後端部と接合し上向き筆記などを可能にするためのインキ吸蔵体を備えた直液式筆記具において、前記インキ保留体の尾端部端面に前記インキ吸蔵体を固定するための３本以上のリブを長手方向に設け、前記インキ保留体尾端部端面から長手方向へのリブの長さが５．０ｍｍ以上、リブの囲む内接円の直径が４．０ｍｍ〜２０．０ｍｍであることを特徴とした直液式筆記を要旨とする。
【００１６】
【発明の実施の形態】
前述のごとく、インキ保留体の空気流通溝の寸法、インキ保留体貫通孔内の誘導芯の寸法、誘導芯の気孔率などでインキ供給量を制御するには品質の安定性を考えると限界がある。そこで、インキ吸蔵体を固定するためのインキ保留体尾端部端面から長手方向に設けた３本以上のリブを長さが５．０ｍｍ以上、リブの囲む内接円の直径が４．０ｍｍ〜２０．０ｍｍとすることで、誘導芯の後端部に接合したインキ吸蔵体の外径が４．０ｍｍ〜２０．０ｍｍ、長さが５．０ｍｍ以上となり、このインキ吸蔵体によってインキ供給量を調整することができるようになる。これは、インキ吸蔵体の外径が４．０ｍｍ〜２０．０ｍｍになることで、ポリプロピレン製や不織布を外皮にした気孔率８０％〜９０％の高気孔率のものから、繊維を樹脂で固めた低気孔率３０％〜４０％のものまで広範囲に選択することができるため、極端にインキ供給量を減らしたい場合には低気孔率のものを選択し、逆に微調整程度の場合には高気孔率のものを選択することができるためである。また、インキ吸蔵体の固定方法がインキ保留体に設けられたリブによって固定するため、インキ吸蔵体の固定が安定し耐衝撃性が向上する。更にインキタンク内径との寸法などを考慮せずにインキ吸蔵体の外径を選択できるため、ペン先と誘導芯へのインキ自重が軽減され、先漏れを抑えることができる。
【００１７】
すなわち本発明の場合、インキが多色に及ぶ場合やインキの溶剤、樹脂等の基本組成が異なる場合でも、インキ供給量の調整を誘導芯と接続したインキ吸蔵体で調整できるため、インキ保留体、誘導芯をできる限り同一の部材で構成することができ、低コスト化や仕様間違い防止といった効果を得ることができる。特にコストのかかる金型を必要とする樹脂成型品のインキ保留体はできるだけ仕様を一本化することが望ましい。また、保存安定性やインキドロップを考慮したインキ供給量制御にとらわれない無理のない誘導芯の選択が可能となる。
【００１８】
このとき、インキ保留体尾端部端面のリブの囲む内接円の直径が４．０ｍｍ以下だと誘導芯と接合するインキ吸蔵体の外径が必然的に４．０ｍｍ以下となり、ポリプロピレン製や不織布を外皮にした気孔率８０％〜９０％の高気孔率のものを作製することが難しくなる。また、４．０ｍｍ以下の場合、繊維集束体からなる誘導芯の場合と同様に気孔率が低いものはインキ詰まりを起こすといった問題が生じる。更にインキ保留体尾端部端面のリブの囲む内接円の直径が２０．０ｍｍ以上の場合、誘導芯と接合するインキ吸蔵体の外径が必然的に２０．０ｍｍ以上となり、接合した誘導芯からのペン先へ働くインキ自重が大きくなり、先漏れを発生する場合がある。また同じく外径が２０．０ｍｍ以上の場合にはインキタンクの内径を２０．０ｍｍ以上の寸法にする必要があり、必然的に握り部の径がさらに太くなるため、筆記具の実用性を考えると実用的ではない。
【００１９】
更に、インキ吸蔵体をインキ保留体の尾端部端面から長手方向に伸びたリブで固定することでペン体に振動や衝撃が生じてもインキ吸蔵体と誘導芯の接合が外れることはないし、インキ保留体の尾端部端面に３本以上のリブを設けることで、インキタンク内径に関係なくインキ吸蔵体の外径を選択することができ、ペン先と誘導芯へのインキ自重が軽減されて先漏れの発生などを抑えることもできる。
【００２０】
このとき、インキ保留体尾端部端面のリブの全長が５．０ｍｍ以下になると中綿の固定が不十分になり、リブが３本以下だとインキ吸蔵体を固定することができない。また、５．０ｍｍ以下のリブに合わせたポリプロピレン製や不織布を外皮にした気孔率８０％〜９０％の高気孔率の中綿を作製することは難しい。
【００２１】
以下、実施例を図面に基づき説明する。図１はアルコールインキのホワイトボードマーカーの例である。自由状態のインキを内蔵するポリプロピレン製の有底筒体１内の開口部側にペン先ホルダー部２とインキ保留部３からなるインキ保留体４を取り付け、底側をインキタンク部５とし、インキ保留体４はポリプロピレン製の有底筒体１の塑性変形により縮径された内包凸部に嵌合することで固定されている。また、繊維集束体よりなる誘導芯７が同じく繊維集束体よりなるペン先６からインキ保留体４の貫通孔８を経てインキ供給量調整のためのインキ吸蔵体９と接続している。インキ吸蔵体９はインキ保留体の尾端部端面から長手方向に設けられたリブ１０で固定され、インキタンク部５に達しており、インキタンク部５からのインキをインキ吸蔵体、誘導芯７を経てペン先６に供給している。
【００２２】
インキ保留体４は、インキ保留部３として複数の櫛歯状のフィン１１を有しており、各櫛歯間の空間１２が形成されている。また、筆記に共したインキの体積分、インキタンク部５に空気を供給するための空気流通溝１３が各櫛歯間の空間１２に連通して形成されている。温度変化などでインキタンク部５に圧力がかかった場合、圧力に押し出される過剰なインキは誘導芯７や、誘導芯７と貫通孔８の間隙を経てペン先６に供給されるようなことは無く、空気流通溝１３を経て櫛歯の空間１２に一時的に溜められる。空気流通溝の外界開放部として空気流通孔１４を設けている。
【００２３】
本例の場合、インキの主溶剤が油性及びアルコール系のためポリプロピレン製のインキ保留体４を使用しており、毛細管力によるインキ保持能力を考慮して櫛歯１１間の距離（空間１２の幅）は０．１ｍｍ〜０．５ｍｍ程度に設定されている。また空気流通溝１４の寸法は０．１５ｍｍ程度に設定されている。
【００２４】
以上の他にも、本発明の要旨を逸脱しない限りで種々なせるものである。一例を挙げると、ペン先としては、ボールペンチップ、連通多孔を有する合成樹脂製ペン先でも良い。また、有低筒体１もポリプロピレン以外の合成樹脂の成形品や金属としても良く、後端部に尾栓を取り付けるなどしても良い。インキ保留体４はポリプロピレンの他にポリアセタール、ポリエチレン、ポリエチレンテレフタレート、ポリブチレンテレフタレート、ポリアミド、ポリエーテルエーテルケトン等を使用できる。
【００２５】
更に実施例に従って詳細を説明するが、本発明は実施例だけに限定されるものではない。尚、本実施例１〜３の目的は実施例１〜３のようにインキ物性値がそれぞれ異なるような場合でも、インキ供給量の調整を誘導芯と接続したインキ吸蔵体で調整できるため、物性値の異なる３種のインキに対してインキ保留体、誘導芯をできる限り同一の部材で構成することができ、低コスト化や仕様間違い防止といった効果を得ることができる。また、保存安定性やインキドロップを考慮したインキ供給量制御にとらわれない無理のない誘導芯の選択が可能となることを示すものである。
【００２６】
実施例１
インキに粘度５ｃＰ、表面張力２０ｄｙｎｅ／ｃｍのアルコール系染料インキを使用し、図１における誘導芯７にポリウレタン樹脂とポリエステル繊維からなる気孔率６０％の繊維集束体を使い、ポリウレタン樹脂とポリエステル樹脂で構成された外径６．５ｍｍ、全長５．０ｍｍ、気孔率５０％の繊維収束体からなるインキ吸蔵体９をインキ保留体のリブ１０に固定して誘導芯と接続した。この時リブ１０は３本設け、インキ吸蔵体９に合わせてリブの囲む内接円の直径が６．５ｍｍ、リブの全長が５．０ｍｍとなるようにした。
【００２７】
実施例２
インキに粘度１０ｃＰ、表面張力２０ｄｙｎｅ／ｃｍのアルコール系顔料インキを使用し、図１における誘導芯７にポリウレタン樹脂とポリエステル繊維からなる気孔率６０％の繊維収束体を使い、ポリプロピレンの外皮で被覆した外径６．５ｍｍ、全長５．０ｍｍ、気孔率８０％の繊維収束体からなるインキ吸蔵体９をインキ保留体のリブ１０に固定して誘導芯と接続した。この時リブ１０は３本設け、インキ吸蔵体９に合わせてリブの囲む内接円の直径が６．５ｍｍ、リブの全長が５．０ｍｍとなるようにした。
【００２８】
実施例３
インキに粘度１５ｃＰ、表面張力２０ｄｙｎｅ／ｃｍのアルコール系顔料インキを使用し、図１における誘導芯７にポリウレタン樹脂とポリエステル繊維からなる気孔率６０％の繊維収束体を使い、ポリプロピレンの外皮で被覆した外径６．５ｍｍ、全長５．０ｍｍ、気孔率９５％の繊維収束体からなるインキ吸蔵体９をインキ保留体のリブ１０に固定して誘導芯と接続した。この時リブ１０は３本設け、インキ吸蔵体９に合わせてリブの囲む内接円の直径が６．５ｍｍ、リブの全長が５．０ｍｍとなるようにした。
【００２９】
以下、比較例を示す。尚、本比較例は実施例１〜３に対し、比較例１〜３、比較例４〜６、比較例７〜９、比較例１０〜１２で対応している。また、比較例１３〜１６は本発明の請求範囲外の寸法でリブを設けたものである。
【００３０】
比較例１
インキに粘度５ｃＰ、表面張力２０ｄｙｎｅ／ｃｍのアルコール系染料インキを使用し、図１における誘導芯７にポリウレタン樹脂とポリエステル繊維からなる気孔率４０％の繊維収束体を使用した。
【００３１】
比較例２
インキに粘度１０ｃＰ、表面張力２０ｄｙｎｅ／ｃｍのアルコール系顔料インキを使用し、図１における誘導芯７にポリウレタン樹脂とポリエステル繊維からなる気孔率５０％の繊維収束体を使用した。
【００３２】
比較例３
インキに粘度１５ｃＰ、表面張力２０ｄｙｎｅ／ｃｍのアルコール系顔料インキを使用し、図１における誘導芯７にポリウレタン樹脂とポリエステル繊維からなる気孔率６０％の繊維収束体を使用した。
【００３３】
比較例４
インキに粘度５ｃＰ、表面張力２０ｄｙｎｅ／ｃｍのアルコール系染料インキを使用し、図１における誘導芯７に押出し成形で成型されポリアセタール樹脂からなるインキ流通のための溝孔を有した気孔率２０％の誘導芯を使用した。
【００３４】
比較例５
インキに粘度１０ｃＰ、表面張力２０ｄｙｎｅ／ｃｍのアルコール系顔料インキを使用し、図１における誘導芯７に押出し成形で成型されポリアセタール樹脂からなるインキ流通のための溝孔を有した気孔率２５％の誘導芯を使用した。
【００３５】
比較例６
インキに粘度１５ｃＰ、表面張力２０ｄｙｎｅ／ｃｍのアルコール系顔料インキを使用し、図１における誘導芯７に押出し成形で成型されポリアセタール樹脂からなるインキ流通のための溝孔を有し気孔率３０％の誘導芯を使用した。
【００３６】
比較例７
インキに粘度５ｃＰ、表面張力２０ｄｙｎｅ／ｃｍのアルコール系染料インキを使用し、図１における誘導芯７にポリウレタン樹脂とポリエステル繊維からなる気孔率６０％の繊維収束体を使い、インキ保留体４の空気流通溝１４の寸法を０．１ｍｍとした。
【００３７】
比較例８
インキに粘度１０ｃＰ、表面張力２０ｄｙｎｅ／ｃｍのアルコール系顔料インキを使用し、図１における誘導芯７にポリウレタン樹脂とポリエステル繊維からなる気孔率６０％の繊維収束体を使い、インキ保留体４の空気流通溝１４の寸法を０．１５ｍｍとした。
【００３８】
比較例９
インキに粘度１５ｃＰ、表面張力２０ｄｙｎｅ／ｃｍのアルコール系染料インキを使用し、図１における誘導芯７にポリウレタン樹脂とポリエステル繊維からなる気孔率６０％の繊維収束体を使い、インキ保留体４の空気流通溝１４の寸法を０．２０ｍｍとした。
【００３９】
比較例１０
インキに粘度５ｃＰ、表面張力２０ｄｙｎｅ／ｃｍのアルコール系染料インキを使用し、図１における誘導芯７にポリウレタン樹脂とポリエステル繊維からなる気孔率６０％の繊維集束体を使い、ポリウレタン樹脂とポリエステル繊維で構成された外径６．５ｍｍ、全長５．０ｍｍ、気孔率５０％の繊維収束体からなるインキ吸蔵体９を誘導芯７への圧入によってのみ接続した。
【００４０】
比較例１１
インキに粘度１０ｃＰ、表面張力２０ｄｙｎｅ／ｃｍのアルコール系顔料インキを使用し、図１における誘導芯７にポリウレタン樹脂とポリエステル繊維からなる気孔率６０％の繊維収束体を使い、ポリプロピレンの外皮で被覆した外径６．５ｍｍ、全長５．０ｍｍ、気孔率８０％の繊維収束体からなるインキ吸蔵体９を誘導芯７への圧入によってのみ接続した。
【００４１】
比較例１２
インキに粘度１５ｃＰ、表面張力２０ｄｙｎｅ／ｃｍのアルコール系顔料インキを使用し、図１における誘導芯７にポリウレタン樹脂とポリエステル繊維からなる気孔率６０％の繊維収束体を使い、ポリプロピレンの外皮で被覆した外径６．５ｍｍ、全長５．０ｍｍ、気孔率９５％の繊維収束体からなるインキ吸蔵体９を誘導芯７への圧入によってのみ接続した。
【００４２】
比較例１３
インキに粘度１５ｃＰ、表面張力２０ｄｙｎｅ／ｃｍのアルコール系顔料インキを使用し、図１における誘導芯７にポリウレタン樹脂とポリエステル繊維からなる気孔率６０％の繊維収束体を使い、ポリプロピレンの外皮で被覆した外径６．５ｍｍ、全長５．０ｍｍ、気孔率９５％の繊維収束体からなるインキ吸蔵体９をインキ保留体のリブ１０に固定して誘導芯と接続した。この時リブ１０は３本設け、リブの囲む内接円の直径が６．５ｍｍ、リブの全長が２．０ｍｍ  となるようにした。
【００４３】
比較例１４
インキ保留体のリブ１０の囲む内接円の直径を３．０ｍｍにした。
【００４４】
比較例１５
インキに粘度１５ｃＰ、表面張力２０ｄｙｎｅ／ｃｍのアルコール系顔料インキを使用し、図１における誘導芯７にポリウレタン樹脂とポリエステル繊維からなる気孔率６０％の繊維収束体を使い、ポリプロピレンの外皮で被覆した外径３０．０ｍｍ、全長５．０ｍｍ、気孔率９５％の繊維収束体からなるインキ吸蔵体９をインキ保留体のリブ１０に固定して誘導芯と接続した。この時リブ１０は３本設け、インキ吸蔵体９に合わせてリブの囲む内接円の直径が３０．０ｍｍ、リブの全長が５．０ｍｍとなるようにした。
【００４５】
性能試験
螺旋式画線機で１０ｍ辺りのインキ消費量を測定し、インキ供給量を観察し、同時に筆跡の状態を観察した。また、５０℃、６０％条件下にペン体を１ヶ月間静置し、ペン体の保存安定性を確認した。更にペン体の耐振動性試験を行いインキ漏れ状態を観察した。
【００４６】
性能試験結果
表１の通り、実施例１〜３はインキ保留体、誘導芯が共通でありながら、誘導芯と接続したインキ吸蔵体を各種変えることで、異なるインキ物性値を持つ３種をいずれも８０ｍｇという同量のインキ消費量を供給することができ、尚且つ誘導芯の気孔率が最適であるため保存安定性も良好である。更に耐振動性試験でもインキ漏れ発生や誘導芯からのインキ吸蔵体外れが発生することは無かった。また、一方、比較例１〜３はポリウレタン樹脂とポリエステル繊維からなる誘導芯の気孔率で３種のインキ供給量の調整を試みたが、インキ物性値の差がインキ消費量の差となって現われ、気孔率を低くしたものはインキ詰まりが発生し保存安定性に悪影響を及ぼした。比較例４〜６は押出し成形で成型されポリアセタール樹脂からなるインキ流通のための溝孔を有した誘導芯の気孔率で３種のインキ供給量の調整を試みたところ、異なるインキ物性値を持つ３種をいずれも８０ｍｇという同量のインキ消費量を供給することができたものの、インキの表面張力が低いため、経時によってインキが誘導芯内部で毛管力によって保持しきれずに、インキタンク内にインキが戻ってしまうインキドロップが発生してしまった。比較例７〜９は誘導芯が共通で、インキ保留体の空気交換溝の寸法を変えることでインキ供給量を調整することを試みたところ、異なるインキ物性値を持つ３種をいずれも８０ｍｇという同量のインキ消費量を供給することができたが、空気交換溝の寸法が広くなるに従ってインキ漏れが発生した。また空気交換溝の狭いものは速記に弱いという弱点があった。更に成型品に部材統一性が無くコスト高になるという問題があった。比較例１０〜１２はインキ供給量を調整するためのインキ吸蔵体の固定を行なわずに誘導芯への圧入によってのみ接合したが、耐振動性試験でインキ吸蔵体が誘導芯から外れてしまった。比較例１３〜１６は本発明の請求範囲外の寸法でリブを設けたものであるが、いずれも良好な性能は得られなかった。
【００４７】
【表１】
2005001247.tif 000003
【００４８】
【発明の効果】
以上の結果より、本発明の場合、インキが多色に及ぶ場合やインキの溶剤、樹脂等の基本組成が異なる場合でも、インキ供給量の調整を誘導芯と接続した外径４．０ｍｍ〜２０．０ｍｍ、全長５．０ｍｍ以上のインキ吸蔵体で調整できるため、インキ保留体、誘導芯をできる限り同一の部材で構成することができ、低コスト化や仕様間違い防止といった効果を得ることができる。特にコストかかる金型を必要とする樹脂成型品のインキ保留体はできるだけ仕様を一本化することが望ましい。また、保存安定性やインキドロップを考慮したインキ供給量制御にとらわれない無理のない誘導芯の選択が可能となるものである。更に、インキ吸蔵体をインキ保留体の尾端部端面から長手方向に伸びたリブで固定することでペン体に振動や衝撃が生じてもインキ吸蔵体と誘導芯の接合が外れることはないし、インキ保留体の尾端部端面にリブを設けることで、インキタンク内径に関係なくインキ吸蔵体の外径を選択することができ、ペン先と誘導芯へのインキ自重が軽減されて先漏れの発生などを抑えることもできる。
【図面の簡単な説明】
【図１】本発明における直液式筆記具の縦断面図である。
【図２】図１のＡ−Ａ’線断面図である。
【符号の説明】
１  筒体
２  ペン先ホルダー部
３  インキ保留部
４  インキ保留体
５  インキタンク
６  ペン先
７  誘導芯
８  貫通孔
９  インキ吸蔵体
１０  リブ
１１  櫛歯状のフィン
１２  空間
１３  空気流通溝
１４  空気流通孔
【図１】
2005001247.tif 000004
【図２】
2005001247.tif 000005